(57)【要約】      （修正有）【課題】光ファイバを幾重にも巻き付けて収納した場合、先に巻き付けられた側の光ファイバの終端を取り出す方法を提供する。【解決手段】本体１０と、本体に回転可能に収容され、光ファイバ３を巻き付けるためのボビン３０と、を備え、ボビンは、隔壁部を有し、隔壁部は、隔壁部の内側と外側との間で光ファイバを導くためのファイバ用溝を有し、光ファイバの一端側を隔壁部の内側に収納しつつ、ファイバ用溝によって隔壁部の外側に導かれた光ファイバを隔壁部の外壁面に巻き付けることによって、光ファイバを収納することを特徴とする収納ケースである。【選択図】図１
2014129138.tif 000002
【特許請求の範囲】
【請求項１】
本体と、
前記本体に回転可能に収容され、光ファイバを巻き付けるためのボビンと、
を備え、
前記ボビンは、隔壁部を有し、
前記隔壁部は、前記隔壁部の内側と外側との間で前記光ファイバを導くためのファイバ用溝を有し、
前記光ファイバの一端側を前記隔壁部の内側に収納しつつ、前記ファイバ用溝によって前記隔壁部の外側に導かれた前記光ファイバを前記隔壁部の外壁面に巻き付けることによって、前記光ファイバを収納する
ことを特徴とする収納ケース。
【請求項２】
請求項１に記載の収納ケースであって、
前記隔壁部の内側に環状の内溝部が形成されている
ことを特徴とする収納ケース。
【請求項３】
請求項２に記載の収納ケースであって、
前記内溝部の内側に隆起部が形成されており、
前記隆起部は、前記光ファイバの前記一端側に設けられたコネクタを固定するためのコネクタ固定部を有する
ことを特徴とする収納ケース。
【請求項４】
請求項３に記載の収納ケースであって、
前記隔壁部は、前記コネクタの端部を固定するコネクタ端固定部を有する
ことを特徴とする収納ケース。
【請求項５】
請求項４に記載の収納ケースであって、
前記コネクタ端固定部及び前記コネクタ固定部は、前記内溝部よりも浅く形成されている
ことを特徴とする収納ケース。
【請求項６】
請求項４又は５に記載の収納ケースであって、
前記本体と、前記ボビンと、前記ボビンに巻き付けた前記光ファイバとを覆うための上蓋を更に備え、
前記上蓋は、前記内溝部に対向して形成された環状凸部を有し、
前記コネクタの上側に前記環状凸部が配置される
ことを特徴とする収納ケース。
【請求項７】
請求項１〜６のいずれかに記載の収納ケースであって、
前記隔壁部は、２つの前記ファイバ用溝を備えており、
前記光ファイバの一端側を前記隔壁部の内側に収納しつつ、一方の前記ファイバ用溝によって前記光ファイバを前記隔壁部の外側に導くとともに、
前記光ファイバの他端側を、他方の前記ファイバ用溝によって前記隔壁部の内側に導きつつ、前記光ファイバを前記隔壁部の内側に収納する
ことを特徴とする収納ケース。
【発明の詳細な説明】
【技術分野】
【０００１】
本発明は、光ファイバの収納ケースに関する。
【背景技術】
【０００２】
光ファイバを収納する収納ケースとして、例えば特許文献１〜３に記載のケースが知られている。
【０００３】
特許文献１には、コードを支承収納する支承板と、支承板に対して回動する回動円板とを有する収納装置（収納ケース）が記載されている。特許文献１では、回動円板の外周部にコードを巻回収納している。
【０００４】
特許文献２には、インナーケースとアウターケースとを有し、アウターケースには、円環状の周回溝が形成されている。特許文献２では、アウターケースの円環状の周回溝に光ファイバを巻き付けて収納している。
【０００５】
特許文献３には、光ファイバと光スイッチを梱包するケースが記載されている。特許文献３では、回転可能な円柱状部材を回転させて、光ファイバの長さの異なる光スイッチを収納可能にしている。
【先行技術文献】
【特許文献】
【０００６】
【特許文献１】特開平０５−２０３８１６号公報
【特許文献２】特開２００１−１２２３３６号公報
【特許文献３】特開２００９−０５１５１２号公報
【発明の概要】
【発明が解決しようとする課題】
【０００７】
光ファイバを幾重にも巻き付けて収納した場合、先に巻き付けられた側の光ファイバの終端を取り出すことが困難になる。
【０００８】
本発明は、光ファイバを幾重にも巻き付けて収納した場合であっても、先に巻き付けられた側の光ファイバの終端を取り出すことが可能な収納ケースを提供することを目的とする。
【課題を解決するための手段】
【０００９】
上記目的を達成するための主たる発明は、本体と、前記本体に回転可能に収容され、光ファイバを巻き付けるためのボビンと、を備え、前記ボビンは、隔壁部を有し、前記隔壁部は、前記隔壁部の内側と外側との間で前記光ファイバを導くためのファイバ用溝を有し、前記光ファイバの一端側を前記隔壁部の内側に収納しつつ、前記ファイバ用溝によって前記隔壁部の外側に導かれた前記光ファイバを前記隔壁部の外壁面に巻き付けることによって、前記光ファイバを収納することを特徴とする収納ケースである。
【００１０】
本発明の他の特徴については、後述する明細書及び図面の記載により明らかにする。
【発明の効果】
【００１１】
本発明によれば、光ファイバを幾重にも巻き付けて収納した場合であっても、先に巻き付けられた側の光ファイバの終端を取り出すことが可能である。
【図面の簡単な説明】
【００１２】
【図１】図１Ａは、収納ケース１の全体斜視図である。図１Ｂは、収納ケース１の上蓋５０を開けた様子の斜視図である。
【図２】図２は、収納ケース１の分解斜視図である。
【図３】図３は、本体１０の斜視図である。
【図４】図４Ａは、上蓋５０の隅の丸みの説明図である。図４Ｂは、上蓋５０の隅の丸みの別の例の説明図である。
【図５】図５Ａは、収納ケース１を積載可能にする構造の説明図である。図５Ｂは、収納ケース１を積載した様子の側面図である。
【図６】図６Ａは、ボビン３０を右上から見た斜視図である。図６Ｂは、ボビン３０を右下から見た斜視図である。図６Ｃは、ボビン３０を右から見た側面図である。
【図７】図７Ａは、ボビン３０を本体１０に収容した様子の斜視図である。図７Ｂは、ボビン３０を本体１０に収容した様子の側面図である。
【図８】図８Ａは、上蓋５０を右上から見た斜視図である。図８Ｂは、上蓋５０を右下から見た斜視図である。
【図９】図９は、収納ケース１に光ファイバ３を収納する方法のフロー図である。
【図１０】図１０は、内溝部３４に光ファイバ３を収納する様子の斜視図である。
【図１１】図１１Ａは、内溝部３４に光ファイバ３を収納した様子の斜視図である。図１１Ｂは、コネクタ端固定部３３Ｄとコネクタ固定部３５Ｂに固定されたコネクタ５の斜視図である。
【図１２】図１２Ａは、コネクタ固定部３５Ｂを設けずに、コネクタ５を内溝部３４に収容した比較図である。図１２Ｂは、コネクタ端固定部３３Ｄを設けずに、コネクタ固定部３５Ｂのみでコネクタ５を収容した比較図である。
【図１３】図１３Ａは、ボビン３０に光ファイバ３を巻き付ける様子の斜視図である。図１３Ｂは、コネクタ収容部１３Ｅにコネクタ５を収容した様子の斜視図である。
【図１４】図１４Ａは、回転防止機構を説明するための断面斜視図である。図１４Ｂは、突起部３６と凸部５３（凹部５３）の位置関係の説明図である。
【図１５】図１５は、コネクタ５が固定された様子を示すための断面斜視図である。
【図１６】図１６は、光ファイバ３（若しくはコネクタ５）の検査時の説明図である。
【図１７】図１７は、ボビン３０の隔壁部３３の内側に光ファイバ３を収納しない場合の比較図である。
【図１８】図１８は、収納ケース１の光ファイバ３の敷設方法のフロー図である。
【図１９】図１９は、コネクタ５を外部に出した様子の説明図である。
【図２０】図２０Ａは、裏返した上蓋５０をボビン３０に取り付けた様子の説明図である。図２０Ｂは、上蓋５０をボビン３０に取り付けなかった場合の比較図である。
【図２１】図２１は、裏返した上蓋５０をボビン３０に取り付けて光ファイバ３を巻き付ける様子の説明図である。
【図２２】図２２は、第２実施形態の収納ケース１の説明図である。
【図２３】図２３は、第３実施形態の収納ケース１の説明図である。
【図２４】図２４は、第４実施形態の収納ケース１の説明図である。
【図２５】別の収納ケース１の説明図である。
【図２６】図２６は、光ファイバの別の収納方法の説明図である。
【図２７】図２７は、第５実施形態の収納ケースの分解斜視図である。
【図２８】図２８Ａ〜図２８Ｃは、第５実施形態のボビン３０の説明図である。図２８Ａは、上鍔部材４０を外したボビン３０を右上から見た斜視図である。図２８Ｂは、ボビン３０を右下から見た斜視図である。図２８Ｃは、ボビン３０を右から見た側面図である。
【図２９】図２９Ａは、第５実施形態の上蓋５０を右上から見た斜視図である。図２９Ｂは、第５実施形態の上蓋５０を右下から見た斜視図である。
【図３０】図３０Ａ〜図３０Ｆは、第５実施形態の収納ケースに光ファイバ３を収納する様子の説明図である。
【図３１】図３１Ａ及び図３１Ｂは、光ファイバ３（若しくはコネクタ５）の検査時の説明図である。
【発明を実施するための形態】
【００１３】
後述する明細書及び図面の記載から、少なくとも以下の事項が明らかとなる。
【００１４】
本体と、前記本体に回転可能に収容され、光ファイバを巻き付けるためのボビンと、を備え、前記ボビンは、隔壁部を有し、前記隔壁部は、前記隔壁部の内側と外側との間で前記光ファイバを導くためのファイバ用溝を有し、前記光ファイバの一端側を前記隔壁部の内側に収納しつつ、前記ファイバ用溝によって前記隔壁部の外側に導かれた前記光ファイバを前記隔壁部の外壁面に巻き付けることによって、前記光ファイバを収納することを特徴とする収納ケースが明らかとなる。  
このような収納ケースによれば、隔壁部の外壁面に光ファイバが巻き付けられた状態であっても、隔壁部の内側に収納した光ファイバを引き出すことができる。
【００１５】
前記隔壁部の内側に環状の内溝部が形成されていることが望ましい。これにより、環状の内溝部に光ファイバを巻き回して収納できるので、狭いスペースに効率よく光ファイバを収納できる。
【００１６】
前記内溝部の内側に隆起部が形成されており、前記隆起部は、前記光ファイバの前記一端側に設けられたコネクタを固定するためのコネクタ固定部を有することが望ましい。これにより、内溝部に収納する光ファイバの終端に設けられたコネクタを固定できる。
【００１７】
前記隔壁部は、前記コネクタの端部を固定するコネクタ端固定部を有することが望ましい。これにより、コネクタの寸法が長くなっても、コネクタから延び出る光ファイバの曲率半径を十分確保できる。
【００１８】
前記コネクタ端固定部及び前記コネクタ固定部は、前記内溝部よりも浅く形成されていることが望ましい。これにより、コネクタがコネクタ端固定部及びコネクタ固定部に固定されると、内溝部に収納された光ファイバが外れにくくなる。
【００１９】
前記本体と、前記ボビンと、前記ボビンに巻き付けた前記光ファイバとを覆うための上蓋を更に備え、前記上蓋は、前記内溝部に対向して形成された環状凸部を有し、前記コネクタの上側に前記環状凸部が配置されることが望ましい。これにより、収納ケースの内部でのボビンの回転位置によらず、コネクタが外れにくくなる。
【００２０】
前記隔壁部は、２つの前記ファイバ用溝を備えており、前記光ファイバの一端側を前記隔壁部の内側に収納しつつ、一方の前記ファイバ用溝によって前記光ファイバを前記隔壁部の外側に導くとともに、前記光ファイバの他端側を、他方の前記ファイバ用溝によって前記隔壁部の内側に導きつつ、前記光ファイバを前記隔壁部の内側に収納することが望ましい。これにより、光ファイバの両端側をともに隔壁部の内側に収納できる。
【００２１】
＝＝＝第１実施形態＝＝＝
＜収納ケースの構成＞
図１Ａは、収納ケース１の全体斜視図である。図１Ｂは、収納ケース１の上蓋５０を開けた様子の斜視図である。図２は、収納ケース１の分解斜視図である。
【００２２】
以下の説明では、図示するように、各方向を定義する。すなわち、収納ケース１を載置したときの載置面に垂直な方向を「上下方向」とし、上蓋５０の側を「上」とし、本体１０側を「下」とする。つまり、本体１０を基準としたときに、上蓋５０の側が「上」となり、逆側が「下」となる。また、収納ケース１から光ファイバ３を引き出すときの光ファイバ３の方向を「前後方向」とし、光ファイバ３を引き出す側を「前」、逆側を「後」とする。また、上下方向及び前後方向に垂直な方向を「左右方向」とし、前から見たときの方向に従って「右」と「左」を定義する。
【００２３】
収納ケース１は、光ファイバ３を収納するためのケースである。光ファイバ３の終端には、光電変換素子（発光素子又は受光素子）を内蔵したコネクタ５（光モジュール）が設けられている。但し、光電変換素子を有しないコネクタが設けられても良い。また、光ファイバ３の片側の終端のみにコネクタ５が設けられても良いし、いずれの終端にもコネクタ５が設けられていなくても良い。ここでは、光ファイバ３の長さは数十メートルから百メートル程度を想定している。但し、この長さに限定されるものではなく、これより長くても短くても良い。
【００２４】
収納ケース１は、本体１０と、ボビン３０と、上蓋５０とを備えている。本体１０に対してボビン３０は回転可能であり、これにより、ボビン３０を回転させつつ、ボビン３０に光ファイバ３を巻き取らせたり、ボビン３０から光ファイバ３を引き出したりすることができる。また、本体１０とボビン３０の上から上蓋５０が覆いかぶせられており、光ファイバ３が塵埃などから保護される。
【００２５】
収納ケース１を構成する各構成要素（本体１０、ボビン３０、上蓋５０）は、それぞれ、左右対称に形成されている。これにより、光ファイバ３をボビン３０に巻き付けるとき、どちらの方向（上から見て時計回り、反時計回り）にも巻き付けることが可能である。
【００２６】
収納ケース１を構成する各構成要素（本体１０、ボビン３０、上蓋５０）は、それぞれ、プラスチックによって一体成型加工（真空成型加工）されている。ここでは、材料にＰＥＴ（ポリエチレンテレフタラート）を採用しているが、他にもＰＣ（ポリカーボネート）、ＰＶＣ（ポリ塩化ビニル）、透明ＰＳ（ポリスチレン）、色つきのＰＳ（ポリスチレン）、ＰＰ（ポリプロピレン）などを用いることも可能である。透明な材料によって収納ケース１を構成すれば、外部から中身を確認できるので便利である。
【００２７】
収納ケース１の本体１０及び上蓋５０は、上から見て四角形状である。このため、多数の収納ケース１を横方向（前後方向又は左右方向）に隙間無く並べることが可能であり、収納ケース１の保管スペースを小さくすることができる。また、上から見て本体１０及び上蓋５０が四角形状であるため、本体１０に上蓋５０を覆いかぶせたときに、上蓋５０が本体１０に対してずれにくいため、上蓋５０が安定する。
【００２８】
・本体１０
図３は、本体１０の斜視図である。本体１０は、収納ケース１のベースとなる部材であり、ボビン３０を回転可能に収容する部材である。本体１０は、ボビン収容部１１と、縁部１３とを有する。
【００２９】
ボビン収容部１１は、ボビン３０を回転可能に収容するための部位であり、本体１０の中央部に形成された凹所である。
【００３０】
ボビン収容部１１の中央には、軸支持部１１Ａが形成されている。軸支持部１１Ａは、ボビン３０の下方に設けられた回転軸３１を支持する部位である。軸支持部１１Ａは、ボビン収容部１１の底面１１Ｂから上側に突出した円筒形状の部位であり、円筒形状の軸支持部１１Ａにボビン３０の回転軸３１が嵌合することになる。
【００３１】
ボビン収容部１１の底面１１Ｂには、凸状接点１１Ｃが複数形成されている。凸状接点１１Ｃは、ボビン３０の下面（詳しくは、ボビン３０の鍔部３２の下面）との接触面積を減らすための突起である。ボビン３０との接触面積を減らすことによって、ボビン３０の回転が滑らかになる。凸状接点１１Ｃは、ボビン３０を支えるために少なくとも３個必要であるが、ここでは安定性を考慮して８個形成されている。
【００３２】
縁部１３は、ボビン収容部１１を囲む部位である。縁部１３の内側には、ボビン３０を囲い込むような円筒状の内周面１３Ａが形成されている。縁部１３の外側には、四方に外周面１３Ｂが形成されている。上から見ると内周面１３Ａが円形状であり外周面１３Ｂが矩形状であり、四隅にスペースができるため、後側の二隅には補強用リブ１３Ｃが形成され、前側の二隅にはファイバ通過溝１３Ｄが形成されている。
【００３３】
ファイバ通過溝１３Ｄは、本体１０の内側と外側との間で光ファイバ３を導くための溝であり、光ファイバ３の収納時又は敷設時に光ファイバ３が通過する溝である。ファイバ通過溝１３Ｄは、内周面１３Ａの接線方向となる前後方向に沿って形成されている。ファイバ通過溝１３Ｄの中央部には、コネクタ収容部１３Ｅが形成されている。コネクタ収容部１３Ｅは、コネクタ５を収容するための部位である。外周面１３Ｂの下縁には、収納ケース１を載置面に載置するための縁底部１３Ｆが形成されている。図４Ａに示すように、縁底部１３Ｆは上蓋５０の縁底部と重なるが、縁底部１３Ｆの４隅の丸み（いわゆるＲ）の半径は、上蓋５０のものよりも大きい。これにより、上蓋５０の四隅が本体１０よりも外側に突出し、この突出した部分を指に引っ掛けるための「つまみ」として機能させ、上蓋５０を本体１０から外しやすくしている。但し、縁底部１３Ｆの４隅の丸みの半径が、図４Ｂに示すように上蓋５０のものよりも小さくても良いし、同じでも良い。
【００３４】
図５Ａは、収納ケース１を積載可能にする構造の説明図である。図５Ｂは、収納ケース１を積載した様子の側面図である。  
縁部１３の外周面１３Ｂは、下側ほど外側になるように勾配している。また、ボビン収容部１１の下面が縁底部１３Ｆよりも若干上側に形成されている。これにより、収納ケース１を積み重ねたときに、下の収納ケース１の上部が上の収納ケース１の縁底部１３Ｆの内側に収まるため、収納ケース１を積載させやすくなる。
【００３５】
・ボビン３０
図６Ａは、ボビン３０を右上から見た斜視図である。図６Ｂは、ボビン３０を右下から見た斜視図である。図６Ｃは、ボビン３０を右から見た側面図である。図７Ａは、ボビン３０を本体１０に収容した様子の斜視図である。図７Ｂは、ボビン３０を本体１０に収容した様子の側面図である。
【００３６】
ボビン３０は、本体１０のボビン収容部１１に収容され、光ファイバ３を巻き付けるための部材（回転体）である。ボビン３０は、回転軸３１と、鍔部３２と、隔壁部３３と、内溝部３４と、隆起部３５と、２つの突起部３６とを有する。
【００３７】
回転軸３１は、ボビン３０の回転中心となる軸であり、ボビン３０の中央に形成されている。回転軸３１は、本体１０の方へ向かって、ボビン３０の下側に形成されている。回転軸３１は、本体１０の軸支持部１１Ａに嵌合し、ボビン３０が本体１０に対して回転可能に支持される。回転軸３１が本体１０の軸支持部１１Ａに嵌合することによって、ボビン３０の回転軸３１の位置が安定し、ボビン３０に光ファイバ３を巻き付けやすくなり、また、ボビン３０から光ファイバ３を引き出しやすくなる。
【００３８】
鍔部３２は、ボビン３０に巻き付けられる光ファイバ３を下から支持する部位である。鍔部３２は、回転軸３１を中心とする円盤状の部位であり、隔壁部３３の下縁から外側に形成されている。円盤状の鍔部３２の上面は、ボビン３０（詳しくは隔壁部３３の外壁面３３Ａ）に巻き付けられた光ファイバ３を支持することになる。ボビン３０に巻き付けられた光ファイバ３を鍔部３２が下から支持することによって、ボビン３０を回転させてボビン３０に光ファイバ３を巻き付ける作業が容易になる。
【００３９】
鍔部３２の下面は、本体１０のボビン収容部１１の底面１１Ｂと対向することになる。ボビン収容部１１の底面１１Ｂに凸状接点１１Ｃが形成されているため、鍔部３２の下面は、凸状接点１１Ｃと接触している。なお、本体１０のボビン収容部１１に凸状接点１１Ｃを形成する代わりに、ボビン３０の鍔部３２の下面に凸状接点（下側に向かって凸となるボビン側の突起）を形成することによって、本体１０とボビン３０との接触面積を減らしても良い。
【００４０】
隔壁部３３は、外側に巻き付けられる光ファイバ３と内側に収納される光ファイバ３とを隔てる部位である。隔壁部３３は、回転軸３１を中心とする円筒形状の部位であり、隔壁部３３の外壁面３３Ａには、光ファイバ３が巻き付けられる。このため、円筒形状の外壁面３３Ａの半径は、光ファイバ３に許容される曲率半径（許容曲率半径）よりも大きい。隔壁部３３は、鍔部３２と内溝部３４との間に配置されている。隔壁部３３には、ファイバ用溝３３Ｃと、コネクタ端固定部３３Ｄとが形成されている。ファイバ用溝３３Ｃは、隔壁部３３の内側と外側との間で光ファイバ３を導くための溝である。コネクタ端固定部３３Ｄは、コネクタ５の端部を固定するための窪みであり、隔壁部３３の内側に形成されている。なお、コネクタ端固定部３３Ｄは、内溝部３４よりも浅く形成されている。なお、光ファイバ３の内側の端部にコネクタが無い場合、コネクタ端固定部３３Ｄを設けなくても良い。
【００４１】
内溝部３４は、隔壁部３３の内側で光ファイバ３を収納するため部位である。内溝部３４は、回転軸３１を中心とする環状の溝であり、隔壁部３３の内側に形成されている。例えば収納ケース１に１００ｍ程度の光ファイバ３を収納するとき、内溝部３４に２〜３ｍ程度の光ファイバ３が収納され、残りの光ファイバ３が隔壁部３３の外壁面３３Ａに巻き付けられることになる。環状の内溝部３４の半径は、光ファイバ３の許容曲率半径よりも大きい。内溝部３４に光ファイバ３を収納することによって、隔壁部３３の外壁面３３Ａに光ファイバ３が巻き付けられた状態であっても、内溝部３４に収納した光ファイバ３（及びその終端のコネクタ５）を引き出すことが可能になる。
【００４２】
なお、内溝部３４の底面は、鍔部３２よりも上側に形成されている。つまり、内溝部３４は、鍔部３２の上面よりも浅く形成された溝である。これにより、内溝部３４に光ファイバ３を収納しやすくなるとともに、内溝部３４に収納された光ファイバ３を取り出しやすくなる。
【００４３】
隆起部３５は、内溝部３４の内側に形成された部位である。隆起部３５は、回転軸３１を中心とする円柱状の部位である。隆起部３５の外周面３５Ａと隔壁部３３の内壁面３３Ｂとの間に、内溝部３４があり、光ファイバ３が収納されることになる。円柱状の隆起部３５の外周面３５Ａの半径は、光ファイバ３の許容曲率半径よりも大きい。隆起部３５には、コネクタ固定部３５Ｂが形成されている。コネクタ固定部３５Ｂは、コネクタ５を固定するための溝（窪み）である。コネクタ固定部３５Ｂは、光ファイバ３を保護するブーツをも包含できるように形成されている。コネクタ固定部３５Ｂの延長線上に、隔壁部３３のコネクタ端固定部３３Ｄが位置している。なお、コネクタ固定部３５Ｂは、コネクタ端固定部３３Ｄと同様に、内溝部３４よりも浅く形成されている。なお、光ファイバ３の内側の端部にコネクタが無い場合、コネクタ固定部３５Ｂを設けなくても良い。
【００４４】
突起部３６は、ボビン３０の他の部位よりも上側に突出した部位である（図６Ｃ参照）。２つの突起部３６が設けられており、回転軸３１を挟むように配置されている。ボビン３０に光ファイバ３を巻き付けるとき、突起部３６を手でつかみ、ボビン３０を回転させることになる。つまり、突起部３６は、ボビン３０を回転させるための「つまみ」としての機能を有する。突起部３６は、ボビン３０の他の部位よりも上側に突出しているだけでなく、本体１０よりも上側に突出している（図７Ｂ参照）。このため、突起部３６を手でつかみやすい。
【００４５】
また、突起部３６は、裏返した上蓋５０を取り付ける機能を有する。また、突起部３６は、保管時におけるボビン３０の回転を防止する機能を有する。これらの機能については、後述する。
【００４６】
・上蓋５０
図８Ａは、上蓋５０を右上から見た斜視図である。図８Ｂは、上蓋５０を右下から見た斜視図である。
【００４７】
上蓋５０は、本体１０及びボビン３０を上から覆いかぶせるための蓋である。上蓋５０は、収納ケース１に収納された光ファイバ３を塵埃などから保護するカバーとしての機能を有する。このため、上蓋５０の上面５１は、少なくとも本体１０のボビン収容部１１を覆うように構成される。ボビン３０の外壁面３３Ａに光ファイバ３が巻き付けられていれば、上蓋５０の上面５１は、ボビン３０の外壁面３３Ａに巻き付けられた光ファイバ３の上側を覆うことになる。
【００４８】
上蓋５０の中央部には、４つの凹部５３が形成されている。凹部５３は、上蓋５０を裏返してボビン３０に取り付ける際に、ボビン３０の突起部３６と嵌合することになる。つまり、凹部５３は、裏返した上蓋５０をボビン３０に取り付ける機能を有する。凹部５３は、上蓋５０の下から見ると上面５１から下側に突出している。このように、凹部５３の裏側は、ボビンに向かって突出した凸部になっているため、「凹部５３」のことを「凸部５３」と呼ぶこともある。以下の説明では、その機能に応じて「凹部５３」と呼ぶこともあれば、「凸部５３」と呼ぶことがある。収納ケース１の保管時に凸部５３（詳しくは、凸部５３の側面）がボビン３０の突起部３６（詳しくは、突起部３６の側面）に接触することによって、ボビン３０の回転が防止される。つまり、凸部５３（凹部５３）は、ボビン３０の回転を防止する機能を有する。凸部５３（凹部５３）のこれらの機能については、後述する。
【００４９】
上蓋５０には、４つの凹部５３を囲むように環状凹部５２が形成されている。環状凹部５２は、ボビン３０の内溝部３４と対向するように、形成されている。環状凹部５２は、上蓋５０の下から見ると上面５１から下側に突出している。このように、環状凹部５２の裏側は、ボビンに向かって突出した環状凸部になっているため、「環状凹部５２」のことを「環状凸部５２」と呼ぶことがある。以下の説明では、その機能に応じて「環状凹部５２」と呼ぶこともあれば、「環状凸部５２」と呼ぶことがある。環状凸部５２（環状凹部５２）は、ボビン３０のコネクタ端固定部３３Ｄ及びコネクタ固定部３５Ｂによって固定されたコネクタ５の脱落を防止する機能を有する。環状凸部５２（環状凹部５２）のこの機能については、後述する。
【００５０】
＜光ファイバ収納方法＞
図９は、収納ケース１に光ファイバ３を収納する方法のフロー図である。
【００５１】
まず、作業者は、図７Ａに示すように、本体１０のボビン収容部１１にボビン３０を収容する（Ｓ００１）。このとき、作業者は、本体１０の軸支持部１１Ａにボビン３０の回転軸３１を嵌合させて、本体１０に対して回転可能にボビン３０を収容する。この段階では、上蓋５０は、本体１０及びボビン３０から外された状態である。
【００５２】
次に、作業者は、２〜３ｍ程度の光ファイバ３をボビン３０の内溝部３４に緩やかに巻き付けて収納する（Ｓ００２）。図１０は、内溝部３４に光ファイバ３を収納する様子の斜視図である。作業者は、ボビン３０に光ファイバ３を巻き付けた後に引き出す必要のある長さの光ファイバ３を、ボビン３０の内溝部３４に巻き付けて収納する。内溝部３４が環状に形成されているため、内溝部３４に光ファイバ３を巻き回して収納できるので、狭いスペースに効率よく光ファイバ３を収納できる。
【００５３】
なお、作業者は、ボビン３０の内溝部３４に光ファイバ３を収納した後、ファイバ用溝３３Ｃによって、隔壁部３３の内側から外側へ光ファイバ３を導く。これにより、次に作業者がボビン３０を回転させたときに、光ファイバ３が隔壁部３３の外壁面３３Ａに巻き付けられることになる。
【００５４】
内溝部３４に収納した光ファイバ３の終端にコネクタ５がある場合、作業者は、そのコネクタ５をボビン３０のコネクタ端固定部３３Ｄとコネクタ固定部３５Ｂに固定する（Ｓ００３）。図１１Ａは、内溝部３４に光ファイバ３を収納した様子の斜視図である。図１１Ｂは、コネクタ端固定部３３Ｄとコネクタ固定部３５Ｂに固定されたコネクタ５の斜視図である。
【００５５】
コネクタ端固定部３３Ｄは隔壁部３３に形成されており、コネクタ固定部３５Ｂは隆起部３５に形成されているため、コネクタ５がコネクタ端固定部３３Ｄ及びコネクタ固定部３５Ｂに固定されると、コネクタ５は、内溝部３４を跨ぐように配置される。加えて、コネクタ端固定部３３Ｄ及びコネクタ固定部３５Ｂは、内溝部３４よりも浅く形成されているため、コネクタ５は、内溝部３４に収納した光ファイバ３の上を跨ぐように配置される。これにより、コネクタ５がコネクタ端固定部３３Ｄ及びコネクタ固定部３５Ｂに固定されると、内溝部３４に収納された光ファイバ３が外れにくくなる。
【００５６】
図１２Ａは、コネクタ固定部３５Ｂを設けずに、内溝部３４にコネクタ５を収容した比較図である。図に示すように、コネクタ５が短くなければコネクタ５を収容できないため、収容可能なコネクタ５の形状・寸法の制約が大きくなる。また、コネクタ５から延び出る光ファイバ３（若しくはブーツ）が隔壁部３３によって曲げられてしまい、損傷しやすい。また、図１２Ｂは、隔壁部３３にコネクタ端固定部３３Ｄを設けずに、隆起部３５のコネクタ固定部３５Ｂのみでコネクタ５を固定した比較図である。図に示すように、コネクタ５の寸法が長くなると、コネクタ５から延び出る光ファイバ３が隔壁部３３によって曲げられてしまい、損傷しやすい。これに対し、図１１Ｂに示す構成によれば、図１２Ａ及び図１２Ｂの比較図と比べて、コネクタ５の寸法が長くなっても、コネクタ５から延び出る光ファイバ３の曲率半径を十分確保できる。特に、コネクタ固定部３５Ｂがブーツも包含するように形成されているため、コネクタ５から延び出る光ファイバ３が隔壁部３３によって曲げられてしまうことを回避できる。
【００５７】
次に、作業者は、ボビン３０を回転させて、ボビン３０に光ファイバ３を巻き付ける（Ｓ００４）。図１３Ａは、ボビン３０に光ファイバ３を巻き付ける様子の斜視図である。作業者は、ボビン３０の突起部３６を手でつかみ、ここでは上から見て反時計回りにボビン３０を回転させる。ボビン３０を回転させると、ファイバ用溝３３Ｃによって隔壁部３３の外側に導かれた光ファイバ３が、隔壁部３３の外壁面３３Ａに沿って巻き付けられる。
【００５８】
外壁面３３Ａに巻き付けられた光ファイバ３は、鍔部３２によって下から支持されている。これにより、既に巻き付けられた光ファイバ３とともにボビン３０を回転させることが容易になり、ボビン３０に光ファイバ３を巻き付ける作業が容易になる。仮にボビン３０に鍔部３２が無いと、ボビン３０に巻き付けられた光ファイバ３が本体１０の底面１１Ｂに引きずられながらボビン３０を回転させるため、ボビン３０を回転させ難くなり、光ファイバ３をボビン３０に巻き付ける作業に負荷がかかる。
【００５９】
なお、作業者は、ボビン３０を回転させ始めたときに、本体１０の縁部１３のファイバ通過溝１３Ｄに光ファイバ３を配置させる。これにより、光ファイバ３がファイバ通過溝１３Ｄを通りながらボビン３０に巻き付けられるため、光ファイバ３の捩れが抑制される。
【００６０】
次に、作業者は、光ファイバ３をボビン３０に巻き付け終えたら、本体１０のコネクタ収容部１３Ｅにコネクタ５を収容する（Ｓ００５）。図１３Ｂは、コネクタ収容部１３Ｅにコネクタ５を収容した様子の斜視図である。コネクタ収容部１３Ｅがファイバ通過溝１３Ｄに形成されているため、光ファイバ３をファイバ通過溝１３Ｄに通過させながらボビン３０に巻き付けていけば、終端のコネクタ５が自然にコネクタ収容部１３Ｅの近傍まで運ばれてくるので、作業者がコネクタ収容部１３Ｅにコネクタ５を収容する作業は容易である。
【００６１】
最後に、作業者は、本体１０とボビン３０（及び光ファイバ３）の上から上蓋５０を覆いかぶせて（Ｓ００６）、光ファイバ３の収納作業を完了する。収納ケース１は、上蓋５０を覆いかぶせた状態で保管される。上蓋５０を覆いかぶせることによって、光ファイバ３が塵埃などから保護される。
【００６２】
＜収納ケースの保管時について＞
・回転防止機構
収納ケース１の運搬時には、収納ケース１に振動が加わり、ボビン３０が動きやすくなる。特に、ボビン３０は、鍔部３２を有するため、光ファイバ３とともに回転しやすい構造になっている。加えて、ボビン収容部１１に凸状接点１１Ｃが形成されており、ボビン３０が更に回転しやすい構造になっている。しかし、収納ケース１の保管時に収納ケース１の内部でボビン３０が回転してしまうと、光ファイバ３を損傷させるおそれがある。このため、収納ケース１には、ボビン３０の回転を防止するための回転防止機構が設けられている。
【００６３】
図１４Ａは、回転防止機構を説明するための断面斜視図である。図１４Ｂは、突起部３６と凸部５３（凹部５３）の位置関係の説明図である。図１４Ｂの太線は突起部３６の配置を示し、細線は凸部５３の配置を示している。
【００６４】
回転防止機構は、ボビン３０の突起部３６と、上蓋５０の凸部５３（凹部５３）とによって、構成されている。ボビン３０の突起部３６は上蓋５０の側に突出して形成されており、上蓋５０の凸部５３はボビン３０の側に突出して形成されている。ここでは、ボビン３０が回転したときに突起部３６（詳しくは、突起部３６の側面）と凸部５３（詳しくは、凸部５３の側面）とが接触する位置に突起部３６と凸部５３（凹部５３）が形成されている。これにより、ボビン３０の回転が防止される。
【００６５】
図１４Ｂには、ボビン３０の回転軸３１からの距離をＲとして、ボビン３０の突起部３６と上蓋５０の凸部５３（凹部５３）の配置が示されている。ボビン３０の突起部３６が存在する範囲は、Ｒａ１＜Ｒ＜Ｒａ２である。ここで、Ｒａ１は、回転軸３１に最も近い突起部３６の部位までの距離である。Ｒａ２は、回転軸３１から最も遠い突起部３６の部位までの距離である。上蓋５０の凸部５３（凹部５３）が存在する範囲は、Ｒｂ１＜Ｒ＜Ｒｂ２である。ここで、Ｒｂ１は、回転軸３１に最も近い凸部５３（凹部５３）の部位までの距離である。Ｒｂ２は、回転軸３１から最も遠い凸部５３（凹部５３）の部位までの距離である。
【００６６】
ボビン３０が回転したときに突起部３６と凸部５３（凹部５３）とが接触する条件は、ボビン３０の突起部３６が存在する範囲（Ｒａ１＜Ｒ＜Ｒａ２）と、上蓋５０の凸部５３が存在する範囲（Ｒｂ１＜Ｒ＜Ｒｂ２）の少なくとも一部が重複することである。つまり、ボビン３０が回転したときに突起部３６と凸部５３とが接触する条件は、Ｒａ１＜Ｒｂ１＜Ｒａ２とＲａ１＜Ｒｂ２＜Ｒａ２の少なくとも一方を満たすこと（若しくは、Ｒｂ１＜Ｒａ１＜Ｒｂ２とＲｂ１＜Ｒａ２＜Ｒｂ２の少なくとも一方を満たすこと）である。つまり、この条件が満たされると、突起部３６と凸部５３とが接触するため、ボビン３０の回転が防止される。なお、ここでは、上蓋５０を裏返して突起部３６と凹部５３（凸部５３）を嵌合させるため（後述）、突起部３６が存在する範囲と、凸部５３が存在する範囲はほぼ一致している。
【００６７】
更に、ボビン３０に２つの突起部３６が形成されており、上蓋５０に４つの凸部５３（凹部５３）が形成されている。そして、ボビン３０の各突起部３６が、ボビン３０の回転方向から２つの凸部５３に挟まれて配置されている。これにより、上から見てボビン３０が時計方向及び反時計方向のいずれの方向に回転しても、直ちに突起部３６が凸部５３と接触するため、ボビン３０の回転が防止される（ボビン３０の回転量が小さい）。
【００６８】
・コネクタの脱落防止
収納ケース１の運搬時には、収納ケース１に振動が加わり、ボビン３０が動きやすくなる。しかし、収納ケース１の内部でボビン３０に固定したコネクタ５が外れてしまうと、光ファイバ３を損傷させるおそれがある。このため、収納ケース１には、コネクタ５の脱落を防止するための機構が設けられている。
【００６９】
図１５は、コネクタ５が固定された様子を示すための断面斜視図である。
【００７０】
コネクタ５の上側には、上蓋５０の凸部５３（凹部５３）が配置されている。つまり、コネクタ５が、ボビン３０のコネクタ固定部３５Ｂと上蓋５０の凸部５３との間で固定されている。これにより、コネクタ固定部３５Ｂに固定されたコネクタ５が、凸部５３によって上から押さえられ、この結果、収納ケース１の内部でコネクタ５が外れにくくなる。
【００７１】
また、コネクタ５の上側には、上蓋５０の環状凸部５２（環状凹部５２）が配置されている。環状凸部５２がボビン３０の内溝部３４と対向するように形成されているため、内溝部３４を跨いでいるコネクタ５の部位の上側に、環状凸部５２が配置されることになる。これにより、コネクタ５におけるコネクタ固定部３５Ｂとコネクタ端固定部３３Ｄとの間の部位が、環状凸部５２によって上から押さえられ、この結果、収納ケース１の内側でコネクタ５が外れにくくなる。
【００７２】
なお、環状凸部５２（環状凹部５２）は、環状に形成されているため、収納ケース１の内部でのボビン３０の回転位置によらずに、コネクタ５（詳しくは、内溝部３４を跨いでいるコネクタ５の部位）の上に配置されることになる。このため、上蓋５０が本体１０とボビン３０に覆いかぶせられれば、自然にコネクタ５が外れにくくなる。
【００７３】
・検査
図１６は、光ファイバ３（若しくはコネクタ５）の検査時の説明図である。
【００７４】
光ファイバ３の収納時に、光ファイバ３の一端側が隔壁部３３の内側（詳しくは内溝部３４）に収納され、残りの光ファイバ３は、ファイバ用溝３３Ｃによって隔壁部３３の外側に導かれ、隔壁部３３の外壁面３３Ａに巻き付けられている。このように、隔壁部３３の内側の内溝部３４に光ファイバ３を収納することによって、隔壁部３３の外壁面３３Ａに光ファイバ３が巻き付けられた状態であっても、内溝部３４に収納した光ファイバ３（及びその終端のコネクタ５）を引き出すことができる。ここでは、内溝部３４に収納された２〜３ｍ程度の光ファイバ３を引き出すことができるので、光ファイバ３やコネクタ５の検査などが容易になる。なお、コネクタ収容部１３Ｅに収容されたコネクタ５は、元々光ファイバ３を引き出しやすい状態であるため、問題は生じない。
【００７５】
図１７は、ボビン３０の隔壁部３３の内側に光ファイバ３を収納しない場合の比較図である。図に示すように、ボビン３０の隔壁部３３の内側に光ファイバ３を収納しない場合、外壁面３３Ａに幾重にも光ファイバ３が巻き回されていると、光ファイバ３を巻き回す前に先に収納した光ファイバ３やコネクタ５を取り出すことが困難になる。
【００７６】
＜ファイバ敷設方法＞
図１８は、収納ケース１の光ファイバ３の敷設方法のフロー図である。
【００７７】
まず、作業者は、図１Ｂに示すように、本体１０とボビン３０から上蓋５０を外す（Ｓ１０１）。このとき、作業者は、上蓋５０の四隅で本体１０よりも外側に突出した部分に指に引っ掛けて「つまみ」とし、上蓋５０を本体１０から外すとよい（図４Ａ参照）。上蓋５０を外すことにより、上蓋５０の凸部５３（凹部５３）がボビン３０の突起部３６と接触しなくなり、ボビン３０が回転可能になる（回転防止機能が解除される）。
【００７８】
次に、作業者は、本体１０のコネクタ収容部１３Ｅからコネクタ５を外し、コネクタ５を外部に出す（Ｓ１０２）。図１９は、コネクタ５を外部に出した様子の説明図である。図に示すように、作業者は、その後の作業のために、コネクタ５とともに引き出された光ファイバ３を、本体１０の縁部１３のファイバ通過溝１３Ｄに配置させる。なお、コネクタ収容部１３Ｅがファイバ通過溝１３Ｄに形成されているため、コネクタ収容部１３Ｅから取り出したコネクタ５を本体１０の前側へ引き出せば、自然に光ファイバ３がファイバ通過溝１３Ｄに配置されるので、作業は容易である。
【００７９】
次に、作業者は、上蓋５０を裏返し、裏返した上蓋５０をボビン３０に取り付ける（Ｓ１０３）。図２０Ａは、裏返した上蓋５０をボビン３０に取り付けた様子の説明図である。
【００８０】
上蓋５０を裏返すと、上蓋５０の凹部５３（凸部５３）の開口が下側に向くことになる。作業者は、凹部５３の開口にボビン３０の突起部３６を挿入し、突起部３６と凹部５３を嵌合させて、裏返した上蓋５０をボビン３０に取り付ける。つまり、回転防止機構を構成する突起部３６と凸部５３（凹部５３）を利用して、裏返した上蓋５０をボビン３０に取り付けている。このため、裏返した上蓋５０をボビン３０に取り付けるための機構と回転防止機構とを別々に形成した場合と比べて、ボビン３０及び上蓋５０の構成・形状を簡素化できる。
【００８１】
上蓋５０は、通常の保管時に光ファイバ３を塵埃などから保護するために、ボビン３０の外壁面３３Ａに巻き付けられた光ファイバ３の上側を覆うように構成されている。このように構成された上蓋５０を裏返してボビン３０に取り付けると、上蓋５０の上面５１が、ボビン３０の外壁面３３Ａに巻き付けられた光ファイバ３を上側から覆うことになる。
【００８２】
裏返した上蓋５０をボビン３０に取り付けるとき、作業者は、ファイバ通過溝１３Ｄにおける本体１０と上蓋５０との隙間に光ファイバ３を配置させる。なお、Ｓ１０２の段階で予め光ファイバ３がファイバ通過溝１３Ｄに配置されていれば、裏返した上蓋５０をボビン３０に取り付けると、光ファイバ３は、そのままファイバ通過溝１３Ｄにおける本体１０と上蓋５０との隙間に配置されるため、作業が容易である。
【００８３】
次に、作業者は、ボビン３０の外壁面３３Ａから光ファイバ３を引き出す（Ｓ１０４）。図２０Ａに示すように、作業者が光ファイバ３を前側へ引くと、ボビン３０の外壁面３３Ａに巻き付けられた光ファイバ３が引き出され、ボビン３０が上から見て時計回りに回転する。
【００８４】
ボビン３０の隔壁部３３の外壁面３３Ａには幾重にも光ファイバ３が巻き回されており、この状態で光ファイバ３が引き出されることになる。このとき、ボビン３０の外壁面３３Ａに巻き付けられた光ファイバ３を上蓋５０が上から覆っているため、光ファイバ３がボビン３０の上方を乗り越えて引き出されることが防止され、光ファイバ３の捩れを防止できる。
【００８５】
図２０Ｂは、上蓋５０をボビン３０に取り付けなかった場合の比較図である。ボビン３０の隔壁部３３の外壁面３３Ａには幾重にも光ファイバ３が巻き回されており、この状態で光ファイバ３が引き出されると、図に示すように、光ファイバ３がボビン３０の上方を乗り越えてしまうことがある。この結果、光ファイバ３が捩れた状態で引き出されてしまい、光ファイバ３を損傷させるおそれがある。
【００８６】
図２０Ａに示すように、光ファイバ３が引き出されるとき、光ファイバ３は、ファイバ通過溝１３Ｄにおける本体１０と上蓋５０との隙間を通過する。光ファイバ３がファイバ通過溝１３Ｄに配置された状態で本体１０と上蓋５０との間に挟まれているため、光ファイバ３の引き出し中に光ファイバ３がファイバ通過溝１３Ｄから外れにくい。このため、光ファイバ３が収納ケース１から引き出される位置が、ファイバ通過溝１３Ｄの位置に固定される。なお、ファイバ通過溝１３Ｄが、内周面１３Ａの接線方向となる前後方向に沿って形成されているため、作業者がファイバ通過溝１３Ｄを通過する光ファイバ３を引っ張っても、光ファイバ３が小さな曲率半径（許容曲率半径以下）で曲がらずに済む。
【００８７】
ボビン３０の外壁面３３Ａから光ファイバ３を引き出した後（Ｓ１０４の後）、作業者は、ボビン３０から上蓋５０を外して、ボビン３０に固定されているコネクタ５を取り出す（Ｓ１０５）。作業者は、内溝部３４の光ファイバ３の上を跨ぐように配置されているコネクタ５を取り出した後、内溝部３４に収納されている光ファイバ３を取り出す（Ｓ１０６）。
【００８８】
＜上蓋の別の利用方法＞
光ファイバ３の収納時に、裏返した上蓋５０をボビン３０に取り付けても良い。
【００８９】
図２１は、裏返した上蓋５０をボビン３０に取り付けて光ファイバ３を巻き付ける様子の説明図である。作業者は、ボビン３０の突起部３６を手でつかむ代わりに、上蓋５０を手でつかんでボビン３０を回転させる。つまり、裏返した上蓋５０を治具として利用する。上蓋５０の上面５１が、ボビン３０の外壁面３３Ａに巻き付けられる光ファイバ３を上側から覆っているため、光ファイバ３が、ボビン３０の外壁面３３Ａから外れることなく、整然と巻き付けられる。
【００９０】
＜光ファイバの別の収納方法＞
図２６は、光ファイバの別の収納方法の説明図である。  
ボビン３０は左右対称に形成されているので、ボビン３０の隔壁部３３には前述のファイバ用溝３３Ｃが２つ形成されている。そして、作業者は、光ファイバ３をボビン３０に巻き付け終えたら、本体１０のコネクタ収容部１３Ｅにコネクタ５を収容する代わりに、図２６に示すように、ボビン３０のファイバ用溝３３Ｃを介して、隔壁部３３の外側から内側へ光ファイバ３を導くことができる。このとき隔壁部３３の内側へ光ファイバ３を導くファイバ用溝３３Ｃは、ボビン３０に巻き付ける前の光ファイバ３を隔壁部３３の内側から外側へ導いたファイバ用溝３３Ｃとは別の方である。このような収納方法によれば、光ファイバ３の両端側をともに隔壁部３３の内側に収納できる。
【００９１】
なお、ボビン３０は左右対称に形成されているので、ボビン３０の隔壁部３３にはコネクタ端固定部３３Ｄが２つ形成されているとともに、隆起部３５にはコネクタ固定部３５Ｂが２つ形成されている。このため、図２６に示すように、ボビン３０のファイバ用溝３３を介して、隔壁部３３の外側から内側へ光ファイバ３を導いたときに、その光ファイバ３の終端にコネクタ５がある場合、そのコネクタ５をボビン３０のコネクタ端固定部３３Ｄとコネクタ固定部３５Ｂに固定することができる。この場合、Ｓ００３で固定したコネクタ５を一旦取り外した上で、隔壁部３３の内側へ導いた光ファイバ３を内溝部３４に収納してから、両方のコネクタ５をそれぞれのコネクタ端固定部３３Ｄ及びコネクタ固定部３５Ｂに固定すると良い。
【００９２】
＜小括＞
以上説明した第１実施形態の収納ケース１は、本体１０及びボビン３０を備えている（図１Ｂ参照）。ボビン３０には隔壁部３３が形成されており、隔壁部３３には、隔壁部３３の内側と外側との間で光ファイバ３を導くためのファイバ用溝３３Ｃが形成されている（図６Ａ参照）。そして、光ファイバ３の収納時に、光ファイバ３の一端側が隔壁部３３の内側（詳しくは内溝部３４）に収納され、残りの光ファイバ３は、ファイバ用溝３３Ｃによって隔壁部３３の外側に導かれ、隔壁部３３の外壁面３３Ａに巻き付けられる（図１１Ａ、図１１Ｂ及び図１３Ａ参照）。このように、隔壁部３３の内側に光ファイバ３を収納することによって、隔壁部３３の外壁面３３Ａに光ファイバ３が巻き付けられた状態であっても、隔壁部３３の内側に収納した光ファイバ３を引き出すことができる。
【００９３】
また、第１実施形態では、隔壁部３３の内側に環状の内溝部３４が形成されている（図６Ａ参照）。これにより、内溝部３４に光ファイバ３を巻き回して収納できるので、狭いスペースに効率よく光ファイバ３を収納できる。
【００９４】
また、第１実施形態では、内溝部３４の内側に隆起部３５が形成されており、隆起部３５にコネクタ固定部３５Ｂが形成されている（図６Ａ参照）。これにより、内溝部３４に収納する光ファイバ３の終端に設けられたコネクタ５を固定できる（図１１Ｂ参照）。
【００９５】
また、第１実施形態の隔壁部３３には、コネクタ５の端部を固定するコネクタ端固定部３３Ｄが形成されている（図６Ａ参照）。これにより、コネクタ５の寸法が長くなっても、コネクタ５から延び出る光ファイバ３の曲率半径を十分確保できる（図１１Ｂ参照）。
【００９６】
また、第１実施形態では、コネクタ端固定部３３Ｄ及びコネクタ固定部３５Ｂは、内溝部３４よりも浅く形成されている。これにより、コネクタ５がコネクタ端固定部３３Ｄ及びコネクタ固定部３５Ｂに固定されると、内溝部３４に収納された光ファイバ３が外れにくくなる（図１１Ｂ参照）。
【００９７】
また、第１実施形態の上蓋５０には、内溝部３４に対向する環状凸部５２（環状凹部５２）が形成されている（図８Ａ及び図８Ｂ参照）。そして、コネクタ固定部３５Ｂ及びコネクタ端固定部３３Ｄに固定されたコネクタ５の上側に環状凸部５２（環状凹部５２）が配置される（図１５参照）。これにより、収納ケース１の内部でのボビン３０の回転位置によらずに、コネクタ５が外れにくくなる。
【００９８】
＝＝＝第２実施形態＝＝＝
前述の実施形態によれば、上蓋５０に形成された４つの凸部５３（凹部５３）によって、ボビン３０の回転を防止するための回転防止機構を構成していた。また、上蓋５０に形成された４つの凹部５３（凸部５３）によって、裏返した上蓋５０をボビン３０に取り付けていた。但し、凸部５３（凹部５３）は４つに限られるものではない。
【００９９】
図２２は、第２実施形態の収納ケース１の説明図である。上蓋５０の中央部には、マイナス形状の凹部５３（凸部５３）が１つ形成されている。第１実施形態と同様に、上蓋５０の凸部５３（凹部５３）はボビン３０の側に突出して形成されている。なお、第２実施形態においても、ボビン３０の突起部３６は上蓋５０の側に突出して形成されている。
【０１００】
収納ケース１の保管時には、作業者は、マイナス形状の凸部５３（凹部５３）の方向が、ボビン３０の２つの突起部３６を結ぶ線と直交するように、上蓋５０を本体１０及びボビン３０にかぶせる。例えば、図に示すように、２つの突起部３６を結ぶ線が前後方向になるとき、作業者は、マイナス形状の凸部５３を左右方向にして、上蓋５０を本体１０及びボビン３０にかぶせる。収納ケース１の保管時には、ボビン３０が回転したときに突起部３６と凸部５３とが接触する位置に突起部３６と凸部５３が形成されている。これにより、ボビン３０の回転が防止される。
【０１０１】
上蓋５０を裏返してボビン３０に取り付けるとき、作業者は、マイナス形状の凹部５３（凸部５３）の方向が、ボビン３０の２つの突起部３６を結ぶ線と平行にして、突起部３６と凹部５３を嵌合させる。例えば、図に示すように、２つの突起部３６を結ぶ線が前後方向になるとき、作業者は、マイナス形状の凹部５３を前後方向にして、裏返した上蓋５０をボビン３０に取り付ける。これにより、ボビン３０に巻き付けられた光ファイバ３を上蓋５０によって上側から覆うことができる。
【０１０２】
上記の通り、凸部５３（凹部５３）の形状や数は、第１実施形態のものに限られるものではない。同様に、突起部３６の形状や数も、第１実施形態のものに限られるものではなく、適宜変更可能である。
【０１０３】
なお、第２実施形態においても、前述の第１実施形態と同様に、光ファイバ３の収納時に、光ファイバ３の一端側が隔壁部３３の内側（詳しくは内溝部３４）に収納され、残りの光ファイバ３は、ファイバ用溝３３Ｃによって隔壁部３３の外側に導かれ、隔壁部３３の外壁面３３Ａに巻き付けられている。このため、第２実施形態においても、隔壁部３３の外壁面３３Ａに光ファイバ３が巻き付けられた状態であっても、隔壁部３３の内側に収納した光ファイバ３を引き出すことができる。
【０１０４】
＝＝＝第３実施形態＝＝＝
図２３は、第３実施形態の収納ケース１の説明図である。なお、第３実施形態では、ボビン３０には突起部３６が形成されておらず、上蓋５０には凹部５３（凸部５３）が形成されていない。
【０１０５】
第３実施形態では、上蓋５０の左右の側面にはそれぞれ切り込み５４が形成されており、上蓋５０の前側の部分を開くことが可能である。作業者は、収納ケース１に収納された光ファイバ３をボビン３０から引き出すとき、上蓋５０を本体１０及びボビン３０にかぶせた状態で上蓋５０の前側の部分を開き、コネクタ収容部１３Ｅからコネクタ５を取り出し、光ファイバ３を引き出すことになる。
【０１０６】
第３実施形態では、ボビン３０の回転防止機構が無いため、上蓋５０を本体１０及びボビン３０にかぶせたまま、光ファイバ３を引き出すことが可能になる。上蓋５０をかぶせたまま光ファイバ３を引き出した場合、ボビン３０に巻き付けられた光ファイバ３を上蓋５０の上面５１が覆っているため、図２０Ｂのようにボビン３０に巻き付けた光ファイバ３が乱れるおそれはない。このため、第３実施形態では、上蓋５０を裏返してボビン３０に取り付けるための機構が無くても良い。
【０１０７】
ところで、前述の第１実施形態及び第２実施形態では、ボビン３０の回転を防止するための回転防止機構があるため、光ファイバ３を引き出すためには、回転防止機構を解除する必要があり、上蓋５０を本体１０及びボビン３０から外す必要が生じる。このように、上蓋５０を外したときにはボビン３０に巻き付けた光ファイバ３が乱れるおそれがあるため（図２０Ｂ参照）、前述の第１実施形態及び第２実施形態では、裏返した上蓋５０をボビン３０に取り付けて、ボビン３０に巻き付けられた光ファイバ３を上蓋５０によって上側から覆っているのである。
【０１０８】
第３実施形態では、ボビン３０の回転を防止するための回転防止機構が無いため、収納ケース１の保管時にボビン３０が回転するおそれがあり、光ファイバ３を損傷させるおそれがある。また、第３実施形態では、裏返した上蓋５０をボビン３０に取り付けることができないため、上蓋５０を外した場合には、ボビン３０に巻き付けた光ファイバ３が乱れるおそれがある。また、第３実施形態における上蓋５０の側面の切り込み５４は、プラスチックの一体成型時には形成することができないため、成形後に切り込み５４を形成する必要があるため、上蓋５０の製造に手間やコストがかかる。
【０１０９】
なお、第３実施形態においても、前述の第１実施形態及び第２実施形態と同様に、光ファイバ３の収納時に、光ファイバ３の一端側が隔壁部３３の内側（詳しくは内溝部３４）に収納され、残りの光ファイバ３は、ファイバ用溝３３Ｃによって隔壁部３３の外側に導かれ、隔壁部３３の外壁面３３Ａに巻き付けられる。これにより、第３実施形態においても、隔壁部３３の外壁面３３Ａに光ファイバ３が巻き付けられた状態であっても、隔壁部３３の内側に収納した光ファイバ３を引き出すことが可能になる。
【０１１０】
＝＝＝第４実施形態＝＝＝
図２４は、第４実施形態の収納ケース１の説明図である。なお、第４実施形態では、隔壁部３３の内側に、内溝部３４や隆起部３５が形成されていない。また、第４実施形態では、隆起部３５が無いため、コネクタ固定部３５Ｂが形成されていない。
【０１１１】
第４実施形態においても、前述の第１〜第３実施形態と同様に、光ファイバ３の収納時に、光ファイバ３の一端側が隔壁部３３の内側（詳しくは内溝部３４）に収納され、残りの光ファイバ３は、ファイバ用溝３３Ｃによって隔壁部３３の外側に導かれ、隔壁部３３の外壁面３３Ａに巻き付けられる。これにより、第４実施形態においても、隔壁部３３の外壁面３３Ａに光ファイバ３が巻き付けられた状態であっても、隔壁部３３の内側に収納した光ファイバ３を引き出すことが可能になる。
【０１１２】
但し、第４実施形態では、コネクタ固定部３５Ｂが無いため、隔壁部３３の内側にコネクタ５を収納したときに、コネクタ５が固定されず、コネクタ５が動きやすい。また、第４実施形態では、環状の内溝部３４が無いため、隔壁部３３の内側に光ファイバ３を収納したときに、光ファイバ３が動きやすい。
【０１１３】
＝＝＝第５実施形態＝＝＝
＜収納ケースの構成＞
図２７は、第５実施形態の収納ケースの分解斜視図である。第５実施形態の収納ケースも、本体１０と、ボビン３０と、上蓋５０とを備えている。前述の実施形態と同様の機能を有する部材・部位には同じ符号を付して説明を省略することがある。第５実施形態の収納ケースは、分離シート７０を更に備えている。但し、収納ケースは、分離シート７０を備えていなくても良い。
【０１１４】
図２８Ａ〜図２８Ｃは、第５実施形態のボビン３０の説明図である。図２８Ａは、上鍔部材４０を外したボビン３０を右上から見た斜視図である。図２８Ｂは、ボビン３０を右下から見た斜視図である。図２８Ｃは、ボビン３０を右から見た側面図である。
【０１１５】
ボビン３０の上鍔部材４０は、ボビン３０の上側に接着固定される板状の部材であり、ボビン３０に巻き付けた光ファイバ３を鍔部３２（下側鍔部）との間に挟むことによって、巻き付けた光ファイバ３が上側から外れることを防止する部材（上側鍔部）である。上鍔部材４０は、第１上鍔部材４１及び第２上鍔部材４２を有し、第１上鍔部材４１と第２上鍔部材４２との間には隙間が空いている。
【０１１６】
ボビン３０の隔壁部３３には、２つのファイバ用溝３３Ｃと、第１コネクタ端固定部３３Ｄと、第２コネクタ端固定部３３Ｅとが形成されている。  
ファイバ用溝３３Ｃは、隔壁部３３の内側と外側との間で光ファイバ３を導くための溝である。ファイバ用溝３３Ｃの上側には、第１上鍔部材４１と第２上鍔部材４２との隙間が形成されている。  
第１コネクタ端固定部３３Ｄ及び第２コネクタ端固定部３３Ｅは、コネクタ５の端部を固定するための窪みであり、隔壁部３３の内側に形成されている。第１コネクタ端固定部３３Ｄは、内溝部３４と同じ深さに形成されている。第２コネクタ端固定部３３Ｅは、内溝部３４よりも浅く形成されている。これにより、第１コネクタ端固定部３３Ｄに収容されるコネクタ５の高さと、第２コネクタ端固定部３３Ｅに収容されるコネクタ５の高さとを異ならせることができる。
【０１１７】
ボビン３０の内溝部３４には、収納ケース１に収納される１００ｍ程度の光ファイバ３の一端側の２〜３ｍ程度の光ファイバ３が巻き付けられるとともに、他端側の２〜３ｍ程度の光ファイバ３が巻き付けられることになる（後述）。
【０１１８】
隆起部３５の中心部には十字状に溝（窪み）が形成されており、一方の溝が第１コネクタ固定部３５Ｂとなり、他方の溝が第２コネクタ固定部３５Ｃとなる。第１コネクタ固定部３５Ｂ及び第２コネクタ固定部３５Ｃは、コネクタ５を固定するための溝（窪み）である。第１コネクタ固定部３５Ｂ及び第２コネクタ固定部３５Ｃは、コネクタ本体だけでなく、コネクタ本体から延び出たブーツやプルタブをも収容できるように形成されている。なお、ブーツは、光ファイバ３を保護する部位であり、可撓性を有する弾性変形部である。プルタブは、コネクタ５をソケット（不図示）から引き出すための部位であり、可撓性を有する弾性変形部である。
【０１１９】
第１コネクタ固定部３５Ｂは、第１コネクタ端固定部３３Ｄと同様に、内溝部３４と同じ深さに形成されている。第１コネクタ固定部３５Ｂの延長線上に隔壁部３３の第１コネクタ端固定部３３Ｄが位置しており、第１コネクタ固定部３５Ｂ及び第１コネクタ端固定部３３Ｄは、同じ深さに形成されている。第１コネクタ固定部３５Ｂに収容されるコネクタ５の端部が、第１コネクタ端固定部３３Ｄに固定されることになる。  
第２コネクタ固定部３５Ｃは、第２コネクタ端固定部３３Ｅと同様に、内溝部３４よりも浅く形成されている。第２コネクタ固定部３５Ｃの延長線上に隔壁部３３の第２コネクタ端固定部３３Ｅが位置しており、第２コネクタ固定部３５Ｃ及び第２コネクタ端固定部３３Ｅは、同じ深さに形成されている。第２コネクタ固定部３５Ｃに収容されるコネクタ５の端部が、第２コネクタ端固定部３３Ｅに固定されることになる。  
したがって、第１コネクタ固定部３５Ｂと第２コネクタ固定部３５Ｃは、異なる高さに形成に形成されている。言い換えると、第１コネクタ固定部３５Ｂを構成する溝と、第２コネクタ固定部３５Ｃを構成する溝は、異なる深さに形成されている。ここでは、第１コネクタ固定部３５Ｂは、第２コネクタ固定部３５Ｃよりも低い位置に形成されている。これにより、第２コネクタ固定部３５Ｃに固定されるコネクタ５は、第１コネクタ固定部３５Ｂに固定されるコネクタ５よりも上側に位置することになる。
【０１２０】
隆起部３５は、上蓋５０の側に突出した４つの突起部から構成されている。４つの突起部のうち、左後側の突起部３６Ａ（第１コネクタ端固定部３３Ｄ及び第２コネクタ端固定部３３Ｅのいずれにも近傍した突起部）を「第１突起部３６Ａ」と呼ぶ。残りの３つの突起部は、第１突起部３６Ａから時計回りの順に従い、「第２突起部３６Ｂ」、「第３突起部３６Ｃ」及び「第４突起部３６Ｄ」と呼ぶことがある。つまり、第２突起部３６Ｂは右後側の突起部であり、第３突起部３６Ｃは右前側の突起部であり、第４突起部３６Ｄは左前側の突起部である。
【０１２１】
左側の突起部（第１突起部３６Ａ及び第４突起部３６Ｄ）と右側の２つの突起部（第２突起部３６Ｂ及び第３突起部３６Ｃ）との間に第１コネクタ固定部３５Ｂが構成されることになる。また、前側の突起部（第１突起部３６Ａ及び第２突起部３６Ｂ）と後側の突起部（第３突起部３６Ｃ及び第４突起部３６Ｄ）との間に第２コネクタ固定部３５Ｃが構成されることになる。
【０１２２】
図２９Ａは、第５実施形態の上蓋５０を右上から見た斜視図である。図２９Ｂは、第５実施形態の上蓋５０を右下から見た斜視図である。
【０１２３】
上蓋５０の中央部には、４つの凹部５３が形成されている。凹部５３は、上蓋５０の下から見ると上面５１から下側に突出している。このように、凹部５３の裏側は、ボビン３０に向かって突出した凸部になっているため、「凹部５３」のことを「凸部５３」と呼ぶこともある。収納ケース１の保管時に、凸部５３がボビン３０の中心部の十字状の溝（第１コネクタ固定部３５Ｂ及び第２コネクタ固定部３５Ｃ）の上側に位置する。以下の説明では、第１コネクタ固定部３５Ｂの上側に位置する凸部５３のことを「第１凸部５３Ａ」と呼び、第２コネクタ固定部３５Ｃの上側に位置する凸部５３のことを「第２凸部５３Ｂ」と呼ぶことがある。
【０１２４】
第１凸部５３Ａは、第２凸部５３Ｂよりも下側に大きく突出している。これは、第１コネクタ固定部３５Ｂが第２コネクタ固定部３５Ｃよりも深く形成されているためである。
【０１２５】
図２７には、分離シート７０が示されている。分離シート７０は、ボビン３０の内側に配置されるシート状の部材である。分離シート７０は、環状部７１と十字部７２とを有する。
【０１２６】
環状部７１は、環状の部位であり、ボビン３０の内溝部３４に配置される部位である。ボビン３０の内側に光ファイバ３の一端側を巻き付けて収納した後、ボビン３０の内側に光ファイバ３の他端側を巻き付けて収納する際に、環状部７１は、光ファイバ３の一端側と他端側とを上下に分離することになる。
【０１２７】
十字部７２は、環状部７１よりも内側の十字状の部位であり、ボビン３０の中心部の十字状の溝（第１コネクタ固定部３５Ｂ及び第２コネクタ固定部３５Ｃ）に配置される部位である。十字部７２は、２つのコネクタ５の間に配置され、２つのコネクタ５を上下に分離することになる。
【０１２８】
＜光ファイバ収納方法＞
図３０Ａ〜図３０Ｆは、第５実施形態の収納ケースに光ファイバ３を収納する様子の説明図である。
【０１２９】
まず、作業者は、本体１０のボビン収容部１１にボビン３０を収容する（図３０Ａ参照）。次に、作業者は、ボビン３０の第１コネクタ端固定部３３Ｄと第１コネクタ固定部３５Ｂにコネクタ５を固定し（図３０Ｂ参照）、２〜３ｍ程度の光ファイバ３をボビン３０の内溝部３４に緩やかに巻き付けて収納し（図３０Ｃ参照）、ファイバ用溝３３Ｃを介して隔壁部３３の内側から外側へ光ファイバ３を導く（図３０Ｃ参照）。
【０１３０】
次に、作業者は、ボビン３０の隆起部３５を手でつかみ、ここでは上から見て反時計回りにボビン３０を回転させる（図３０Ｄ参照）。ボビン３０を回転させると、光ファイバ３が隔壁部３３の外壁面３３Ａに沿って巻き付けられる。なお、外壁面３３Ａに巻き付けられた光ファイバ３は、上鍔部材４０によって上から覆われている。これにより、ボビン３０に幾重にも巻き回された光ファイバ３が、ボビン３０の上方を乗り越えて外れてしまうことを防止できる。
【０１３１】
次に、作業者は、分離シート７０をボビン３０に配置し、ファイバ用溝３３Ｃを介して隔壁部３３の外側から内側へ光ファイバ３を導く（図３０Ｅ参照）。隔壁部３３の内側へ光ファイバ３を導くファイバ用溝３３Ｃは、隔壁部３３の外側へ光ファイバ３を導いたファイバ用溝３３Ｃ（図３０Ｃ参照）とは別の方である。
【０１３２】
次に、作業者は、残りの光ファイバ３をボビン３０の内溝部３４に緩やかに巻き付けて収納し、ボビン３０の第２コネクタ端固定部３３Ｅと第２コネクタ固定部３５Ｃにコネクタ５を固定する（図３０Ｆ参照）。ボビン３０に分離シート７０が配置されているので、残りの光ファイバ３は、分離シート７０の環状部７１の上に収納される。このため、分離シート７０によって、既に収納されている一端側の光ファイバ３と、このとき収納される他端側の光ファイバ３とが上下に分離されることになる。また、第２コネクタ固定部３５Ｃが第１コネクタ固定部３５Ｂよりも浅く形成されているため、第２コネクタ固定部３５Ｃに固定されたコネクタ５は、第１コネクタ固定部３５Ｂに固定されたコネクタ５よりも上側に位置する。
【０１３３】
このとき、第２コネクタ端固定部３３Ｅは隔壁部３３に形成されており、第２コネクタ固定部３５Ｃは隆起部３５に形成されているため、コネクタ５が第２コネクタ端固定部３３Ｅ及び第２コネクタ固定部３５Ｃに固定されると、コネクタ５は、内溝部３４を跨ぐように配置される。加えて、第２コネクタ端固定部３３Ｅ及び第２コネクタ固定部３５Ｃは、内溝部３４よりも浅く形成されているため、コネクタ５は、内溝部３４に収納した光ファイバ３（第１コネクタ固定部３５Ｂに固定されたコネクタ５から延び出る光ファイバ３）の上を跨ぐように配置される（図１２Ｂも参照）。これにより、コネクタ５が第２コネクタ端固定部３３Ｅ及び第２コネクタ固定部３５Ｃに固定されると、内溝部３４に収納された光ファイバ３が外れにくくなる。
【０１３４】
最後に、作業者は、本体１０とボビン３０の上から上蓋５０を覆いかぶせて、光ファイバ３の収納作業を完了する。
【０１３５】
＜検査時について＞
図３１Ａ及び図３１Ｂは、光ファイバ３（若しくはコネクタ５）の検査時の説明図である。
【０１３６】
まず、図３１Ａに示すように、作業者は、第２コネクタ固定部３５Ｃに固定されたコネクタ５と、分離シート７０の上で内溝部３４に巻き付けられた光ファイバ３（第２コネクタ固定部３５Ｃのコネクタ５側の光ファイバ３）をボビン３０から取り出す。
【０１３７】
第５実施形態では、第２コネクタ固定部３５Ｃに固定されたコネクタ５は、第１コネクタ固定部３５Ｂに固定されたコネクタ５よりも上側に位置するため、第２コネクタ固定部３５Ｃのコネクタ５よりも先に第１コネクタ固定部３５Ｂのコネクタ５を取り出すことが難い構造になっている。加えて、第５実施形態では、第１コネクタ固定部３５Ｂのコネクタ５が分離シート７０の下側に位置するため、第１コネクタ固定部３５Ｂのコネクタ５を先に取り出すことが難い構造になっている。したがって、作業者は、ボビン３０の隔壁部３３の内側に固定された２つのコネクタ５のどちらを先に取り出すべきかを、判断しやすい。
【０１３８】
また、第５実施形態では、分離シート７０によって、光ファイバ３の一端側と他端側とが上下に分離されている。このため、第２コネクタ固定部３５Ｃのコネクタ５とともに光ファイバ３が一緒に取り出されるときに、逆側の端部の光ファイバ３（分離シート７０の下側に収納されている光ファイバ３）と絡み合わずに済む。
【０１３９】
次に、図３１Ｂに示すように、作業者は、第１コネクタ固定部３５Ｂに固定されたコネクタ５と、内溝部３４に巻き付けられた光ファイバ３（第１コネクタ固定部３５Ｂのコネクタ５側の光ファイバ３）を取り出す。そして、作業者は、収納ケース１から取り出した２つのコネクタ５を用いて、所定の検査を行うことになる。
【０１４０】
第５実施形態においても、第１コネクタ固定部３５Ｂのコネクタ５側の２〜３ｍ程度の光ファイバ３が隔壁部３３の内側（詳しくは内溝部３４）に収納されている。これにより、残りの大部分の光ファイバ３が隔壁部３３の外壁面３３Ａに巻き付けられた状態であっても、第１コネクタ固定部３５Ｂのコネクタ５とともに光ファイバ３を引き出すことができる。このため、光ファイバ３やコネクタ５の検査などが容易になる。
【０１４１】
＝＝＝その他＝＝＝
上記の実施形態は、主に収納ケースについて記載されているが、その記載の中には、光ファイバの収納方法、保管方法及び敷設方法、並びに、収納ケースの製造方法及び使用方法などの開示が含まれていることは言うまでもない。
【０１４２】
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１４３】
＜収納ケースについて＞
前述の収納ケースは、上から見て本体１０及び上蓋５０が四角形状に形成されていたため、上から見て四角形状であった。但し、収納ケースは、このような形状に限られるものではない。
【０１４４】
図２５は、別の収納ケース１の説明図である。このように、収納ケース１は、上から見て円形状であっても良い。この場合、本体１０の外周面１３Ｂと上蓋５０の内周面とが円筒面になり、収納ケース１の保管時に本体１０に対して上蓋５０が回転するおそれがある。このため、本体１０に対する上蓋５０の回転を防止するための回転防止機構を設けることが好ましい。ここでは、回転防止機構として、本体１０に凹部１５が形成されており、上蓋５０に凹部５５が形成されている。上蓋５０の凹部５５の裏側の凸部（不図示）が本体１０の凹部１５に嵌ることによって、本体１０に対する上蓋５０の回転が防止される。なお、本体１０に対する上蓋５０の回転を防止するための回転防止機構は、他の構成であっても良い。
【０１４５】
図２５の収納ケース１によれば、上から見て上蓋５０が円形状であるため、ファイバの引き出し時（裏返した上蓋５０をボビン３０に取り付けた時）の作業スペースは、収納ケース１の設置スペースとほぼ同じ広さで済むという利点がある。これに対し、上から見て上蓋５０が四角形状である場合、図２０Ａに示すように上蓋５０の四隅が設置スペースよりも外側に突出するため、設置スペースよりも広い作業スペースが必要になる。
【０１４６】
＜光ファイバについて＞
前述の収納ケースは、光ファイバを収納していたが、光ファイバを含む光コードや光ケーブルを収納しても良い。また、収納ケースは、光ファイバとメタルケーブルとの複合ケーブルを収納しても良い。また、収納ケースに収容される光ファイバは、単心でも多心でも良い。
【０１４７】
＜コネクタについて＞
前述のコネクタは、光電変換素子（発光素子又は受光素子）を内蔵した光モジュールであり、光信号を電気信号に変換してから電気信号線同士を接続するコネクタであった。但し、このようなコネクタに限られるものではなく、例えば、光ファイバ同士を光接続させるコネクタ（光コネクタ）であっても良い。
【０１４８】
＜隔壁部について＞
前述の隔壁部は、円筒形状であったが、この形状に限られるものではない。光ファイバを収納したときに光ファイバの許容曲率半径を維持できる形状であれば、隔壁部は、他の形状でも良く、例えば楕円筒状でも良い。
【符号の説明】
【０１４９】
１  収納ケース、３  光ファイバ、５  コネクタ、
１０  本体、１１  ボビン収容部、
１１Ａ  軸支持部、１１Ｂ  底面、１１Ｃ  凸状接点、
１３  縁部、１３Ａ  内周面、１３Ｂ  外周面、１３Ｃ  補強用リブ、
１３Ｄ  ファイバ通過溝、１３Ｅ  コネクタ収容部、
１３Ｆ  縁底部、１５  凹部、
３０  ボビン、３１  回転軸、３２  鍔部、
３３  隔壁部、３３Ａ  外壁面、３３Ｂ  内壁面、
３３Ｃ  ファイバ用溝、３３Ｄ  コネクタ端固定部（第１コネクタ端固定部）、
３３Ｅ  第２コネクタ端固定部、
３４  内溝部、３５  隆起部、３５Ａ  外周面、
３５Ｂ  コネクタ固定部（第１コネクタ固定部）、３５Ｃ  第２コネクタ固定部、
３６  突起部、３６Ａ〜３６Ｄ  第１突起部〜第４突起部、
５０  上蓋、５１  上面、５２  環状凹部（環状凸部）、
５３  凹部（凸部）、５４  切り込み、５５  凸部
【図１】
2014129138.tif 000003
【図２】
2014129138.tif 000004
【図３】
2014129138.tif 000005
【図４】
2014129138.tif 000006
【図５】
2014129138.tif 000007
【図６】
2014129138.tif 000008
【図７】
2014129138.tif 000009
【図８】
2014129138.tif 000010
【図９】
2014129138.tif 000011
【図１０】
2014129138.tif 000012
【図１１】
2014129138.tif 000013
【図１２】
2014129138.tif 000014
【図１３】
2014129138.tif 000015
【図１４】
2014129138.tif 000016
【図１５】
2014129138.tif 000017
【図１６】
2014129138.tif 000018
【図１７】
2014129138.tif 000019
【図１８】
2014129138.tif 000020
【図１９】
2014129138.tif 000021
【図２０】
2014129138.tif 000022
【図２１】
2014129138.tif 000023
【図２２】
2014129138.tif 000024
【図２３】
2014129138.tif 000025
【図２４】
2014129138.tif 000026
【図２５】
2014129138.tif 000027
【図２６】
2014129138.tif 000028
【図２７】
2014129138.tif 000029
【図２８】
2014129138.tif 000030
【図２９】
2014129138.tif 000031
【図３０】
2014129138.tif 000032
【図３１】
2014129138.tif 000033